(57)【要約】【課題】質問回答サービスにおいて、ユーザが自発的に水準の高い質問を入力するように誘導すること。【解決手段】本発明によれば、第１ユーザから質問の入力を受けるステップと、質問を所定のウェブページ上に提供するステップと、第２ユーザまたは前記ウェブページの運営者から前記質問に対する評価データの入力を受けるステップと、評価データを反映して評価結果データを算出するステップと、評価結果データをウェブページ上に質問と関連させて提供するステップと、回答の入力を受けるステップは、所定の回答期間内に質問に対して第２ユーザから回答の入力を受けるステップを含み、回答期間が経過した場合、回答に対して第３ユーザから投票の入力を受けるステップを含む。【選択図】  図２
2010073217.tif 000002
【特許請求の範囲】
【請求項１】
質問回答サービスシステムがインターネット上で実行される質問及び回答を提供する情報処理方法において、前記質問回答サービスシステムは、ユーザ入力部、得票数管理部、回答採択部、ポイント管理部及び出力部を含み、
前記ユーザ入力部が第１ユーザからの質問を入力し、前記出力部が所定のウェブページ上に前記質問を提供するステップと、
前記ユーザ入力部が前記質問に対して第２ユーザから回答の入力を受けるステップと、
前記出力部が前記回答を前記ウェブページ上に前記質問と関連させて提供するステップと、
前記回答が複数入力された場合、前記ユーザ入力部が前記回答に対して所定の投票期間内に第３ユーザから投票の入力を受けるステップと、
前記得票数管理部が前記回答に対する前記投票の入力に応答して前記回答に対応する得票数を増加させるステップと、
前記投票期間が経過した場合、前記回答採択部が前記得票数に基づいて１つ以上の回答を採択するステップと、
前記ポイント管理部が前記採択された回答を入力した第２ユーザを回答採択者として決定するステップと、
前記ポイント管理部が前記回答採択者と関連するポイントデータを所定の値だけ増加させるステップと、
を含み、
前記回答採択者と関連するポイントデータを所定の値だけ増加させる前記ステップは、
ユーザと関連するポイントデータをポイントデータベースに維持するステップと、
前記第１ユーザから補償ポイントデータの入力を受けるステップと、
前記補償ポイントデータに基づいて前記回答採択者と関連するポイントデータを前記補償ポイントデータだけ増加させるステップと、
前記第１ユーザと関連するポイントデータを前記補償ポイントデータだけ減少させるステップと、
を含み、
前記回答の入力を受ける前記ステップは、所定の回答期間内に前記質問に対して前記第２ユーザから回答の入力を受けるステップを含み、
前記投票の入力を受ける前記ステップは、前記回答期間が経過した場合、前記回答に対して前記第３ユーザから投票の入力を受けるステップを含むことを特徴とする方法。
【請求項２】
前記出力部が前記得票数を前記回答と関連させて前記ウェブページ上に提供するステップをさらに含むことを特徴とする請求項１に記載の方法。
【請求項３】
前記投票期間は、前記第１ユーザから入力された任意の期間および前記第１ユーザから入力された投票人数に到達するまでの期間のいずれか１つ以上によって決定されることを特徴とする請求項１に記載の方法。
【請求項４】
前記投票期間は、運営者が設定した任意の期間および前記運営者が設定した任意の投票人数に到達するまでの期間のいずれか１つ以上によって決定されることを特徴とする請求項１に記載の方法。
【請求項５】
前記回答期間は、前記第１ユーザから入力された任意の期間であることを特徴とする請求項１に記載の方法。
【請求項６】
前記投票期間が経過した後、前記回答採択部が前記回答に対応する得票数が所定の得票数未満の場合には回答を採択せず、前記出力部が採択された回答がないことを表示するようにするステップをさらに含むことを特徴とする請求項１に記載の方法。
【請求項７】
前記出力部が前記採択された回答を所定の表示方法によって表示するステップをさらに含むことを特徴とする請求項１に記載の方法。
【請求項８】
前記補償ポイントデータに基づいて前記回答採択者と関連するポイントデータを前記補償ポイントデータだけ増加させる前記ステップは、
前記回答が複数採択される場合、前記第１ユーザが入力した前記補償ポイントデータを採択された各回答に対応する得票数の比率によってそれぞれ分配するステップと、
前記回答採択者と関連するポイントデータを前記分配された補償ポイントデータだけ増加させるステップと、
を含むことを特徴とする請求項１に記載の方法。
【請求項９】
前記ポイント管理部が前記投票の入力に応答して前記第３ユーザと関連するポイントデータを所定の値だけ増加させるステップをさらに含むことを特徴とする請求項１に記載の方法。
【請求項１０】
前記ポイントデータを所定の値だけ増加させる前記ステップは、
運営者から所定の単位期間に対応する限界回数の入力を受けるステップと、
前記単位期間内に前記第３ユーザが投票を入力した入力回数をカウントするステップと
前記入力回数が前記限界回数以下の場合、前記投票の入力に応答して前記第３ユーザと
関連するポイントデータを前記所定の値だけ増加させるステップと
を含むことを特徴とする請求項９に記載の方法。
【請求項１１】
前記投票の入力を受ける前記ステップは、
前記第１ユーザから前記回答に対する投票回収命令の入力を受けるステップと、
前記投票回収命令が入力された以後から前記回答に対して第３ユーザから投票の入力を受けるステップと、
をさらに含むことを特徴とする請求項１に記載の方法。
【請求項１２】
前記ユーザ入力部が前記採択された回答に対して第４ユーザから問題提起の入力を受けるステップと、
前記出力部が前記問題提起を前記採択された回答を入力した第２ユーザに提供するステップと、
前記ユーザ入力部が前記採択された回答を入力した第２ユーザから前記問題提起に対する追加回答の入力を受けるステップと、
前記出力部が前記追加回答を前記採択された回答と関連させて前記ウェブページ上に提供するステップと、
をさらに含むことを特徴とする請求項１に記載の方法。
【請求項１３】
前記追加回答の入力を受ける前記ステップは、
前記追加回答が入力された回数をカウントするステップと、
前記回数が所定回数を超過する場合、前記追加回答の入力を許容しないステップと、
をさらに含むことを特徴とする請求項１２に記載の方法。
【請求項１４】
前記ユーザ入力部が前記採択された回答に対して第４ユーザから問題提起の入力を受けるステップと、
前記出力部が前記問題提起を前記採択された回答を入力した第２ユーザに提供するステップと、
前記ユーザ入力部が前記採択された回答を入力した第２ユーザが前記問題提起に対して同意しない場合、前記第２ユーザから前記問題提起に対する拒絶理由の入力を受けるステップと、
前記出力部が前記拒絶理由を前記第４ユーザに提供するステップと、
をさらに含むことを特徴とする請求項１に記載の方法。
【請求項１５】
前記出力部が前記問題提起を前記採択された回答と関連させて提供するステップをさらに含むことを特徴とする請求項１４に記載の方法。
【請求項１６】
請求項１乃至１５のいずれか一項の方法を実行させるためのプログラムを記録したコンピュータ読み取り可能な記録媒体。
【発明の詳細な説明】
【技術分野】
【０００１】
本発明はインターネット上でユーザどうしで質問および回答をすることができる質問回答サービスにおいて、前記サービスにユーザが掲載した質問および回答データの質（ｑｕａｌｉｔｙ）を評価して前記質問および回答の質を改善するインターネット上の質問回答サービス方法に関する。
【背景技術】
【０００２】
図１は、従来技術による質問回答サービスを提供する質問回答サービスシステムのネットワーク連結を示した図である。従来技術によると、一定の質問があるユーザ（質問者）は、自分のユーザ端末機１０１を用いてインターネット（１０３）を介して質問回答サービスシステム１００に接続（アクセス）して自分の質問を登録する。
【０００３】
また、他のユーザ（回答者）は、自分のユーザ端末機１０２を用いてインターネット１０３を介して質問回答サービスシステム１００に接続して前記質問に対する回答を登録する。このような構成により、インターネット上でユーザ間の質問および回答がなされ、前記質問者は自分の質問に対する回答を得ることができる。
【０００４】
また、質問回答サービスシステム１００は、所定のデータベースを備えて前記質問および前記質問に対する回答を格納し、インターネット１０３を介して接続したユーザに検索サービスを提供したりする。
【０００５】
ところで、このような従来技術によると、ユーザが前記質問および前記回答を無誠意に登録する場合や質問と関係のない回答を登録する場合など、前記質問および回答の水準の低下を防止することができない。卑俗語などの入力を禁止させるような消極的な規制を加える方法を用いると前記卑俗語が含まれた質問や回答は登録されないようにすることができるが、この方法は卑俗語を間接的に表示する場合にはその質問または回答の登録を制限することができず、積極的に質問および回答の水準を向上させることができないという問題がある。
【０００６】
また、所定の管理者を雇用して質問および回答の内容を確認し、不適切な質問および回答は削除するようにする方法も用いられているが、このような方法も積極的に質問および回答の水準を向上することはできない。また、質問回答サービスと関連した質問データおよび回答データの量が増加するほど、管理者による検証により一層多くの管理者がより一層多くの時間を要さなければならないという問題点がある。
【０００７】
従って、質問者は自分の質問に対する適切な回答を得られない場合が頻繁に発生する恐れがあり、質問および回答を直接登録しなくても、質問回答サービスシステム１００に接続して質問および回答を検索して提供を受けるユーザが、必要のない情報を提供される可能性が多いという問題がある。
【０００８】
さらに、質問回答サービスと関連した質問データおよび回答データの量が多くなるほど、間違った回答データまたは適切でない回答データを排除することが質問回答サービスの維持のために非常に重要な関心事項となる。
【発明の概要】
【発明が解決しようとする課題】
【０００９】
本発明は、前記のような従来技術を改善するために案出されたものであり、ユーザから質問に対する評価データの入力を受け、前記質問に対する評価結果データを前記質問と関連させて所定のウェブページに提供することによって、ユーザが自発的に水準の高い質問を入力するように誘導することを目的とする。
【００１０】
また、前記質問に対する回答が入力された場合、前記回答に対してユーザから投票の入力を受け、投票結果を獲得した得票数を前記回答と関連させて前記ウェブページに提供することによって、ユーザが自発的に水準の高い回答を入力するように誘導する質問回答サービス方法を提供することをさらに他の目的とする。
【００１１】
また、前記質問回答サービス方法は、前記回答を入力したユーザまたは得票数が多い回答を入力したユーザには所定のポイントを提供することによって回答を入力するように誘導すると同時に、優れた回答を提供したユーザには補償を与えることをさらに他の目的とする。
【００１２】
また、質問を入力したユーザが回答を採択しながら前記回答に対する評価データを入力すると、前記評価データに基づいて前記採択された回答を入力したユーザに所定のポイントを提供することによって、ユーザが水準の高い回答を入力するように誘導する質問回答サービス方法を提供することをさらに他の目的とする。
【００１３】
また、回答が採択されて質問および前記質問に対する回答が終了した後にもユーザから前記採択された回答に対する問題提起がある場合、前記採択された回答を入力したユーザが追加回答を入力することができるようにすることによって、採択された回答の水準を高めることができる質問回答サービス方法を提供することをさらに他の目的とする。
【００１４】
また、質問および前記質問に対する回答が完了した場合、ユーザから前記質問および回答に対する推薦の入力を受け、前記推薦事実を前記ウェブページ上に表示したり前記推薦された質問および回答を検索時に上位に位置することによって、水準の高い質問および回答をユーザが容易に用いることができるようにする質問回答サービス方法を提供することをさらに他の目的とする。
【課題を解決するための手段】
【００１５】
前記の目的を達成し、従来技術の問題点を解決するために、本発明は、第１ユーザから質問の入力を受けるステップと、前記質問を所定のウェブページ上に提供するステップと、第２ユーザまたは前記ウェブページの運営者から前記質問に対する評価データの入力を受けるステップと、前記評価データを反映して評価結果データを算出するステップと、前記評価結果データを前記ウェブページ上に前記質問と関連させて提供するステップと、を含む質問回答サービス方法を提供する。
【００１６】
また、第１ユーザから入力された質問を所定のウェブページ上に提供するステップと、前記質問に対して第２ユーザから回答の入力を受けるステップと、前記回答を前記ウェブページ上に前記質問と関連させて提供するステップと、前記回答が複数入力された場合、前記回答に対して所定の投票期間内に第３ユーザから投票の入力を受けるステップと、前記回答に対する前記投票の入力に応答して前記回答に対応する得票数を増加させるステップと、を含む質問回答サービス方法を提供する。
【００１７】
また、第１ユーザから入力された質問を所定のウェブページ上に提供するステップと、前記質問に対して所定の期間内に第２ユーザから回答の入力を受けるステップと、前記回答を前記ウェブページ上に前記質問と関連させて提供するステップと、前記期間が経過した場合、前記第１ユーザから前記回答を採択するための入力および前記採択された回答に対する評価データの入力を受けるステップと、前記評価データに基づいて前記採択された回答を入力した第２ユーザと関連するポイントデータを増加させるステップと、を含む質問回答サービス方法を提供する。
【００１８】
また、第１ユーザから入力された質問を所定のウェブページ上に提供するステップと、前記質問に対して所定の期間内に第２ユーザから回答の入力を受けるステップと、前記回答を前記ウェブページ上に前記質問と関連させて提供するステップと、前記質問および前記質問と関連する回答を知識データとして決定するステップと、第３ユーザから前記知識データに対する推薦の入力を受けるステップと、前記推薦を前記知識データと関連させてウェブページ上に提供するステップと、を含む質問回答サービス方法を提供する。
【発明の効果】
【００１９】
本発明によると、ユーザから質問に対する評価データの入力を受けて所定のウェブページに提供することによって、ユーザが優れた質問を入力するように誘導する質問回答サービス方法が提供される。
【００２０】
また、前記質問に対する回答に対してユーザから投票の入力を受けて投票結果を前記ウェブページに提供することによって、ユーザが優れた回答を入力するように誘導する質問回答サービス方法が提供される。
【００２１】
また、ユーザから採択された回答に対する問題提起がある場合、前記採択された回答を入力したユーザが追加回答を入力することができるようにすることによって、採択された回答の水準を高めることができる質問回答サービス方法が提供される。
【００２２】
また、質問および回答を知識データとして決定して前記知識データに対する推薦の入力を受けることによって、ユーザに水準の高い知識データを容易く提供することができる質問回答サービス方法が提供される。
【００２３】
また、質問回答サービスに積極的に参加するユーザ、水準の高い質問または回答を入力するユーザにはポイントを用いて所定の補償を与えることによって、ユーザの自発的な参加を誘導することができる質問回答サービス方法が提供される。
【図面の簡単な説明】
【００２４】
【図１】従来技術による質問回答サービスを提供する質問回答サービスシステムのネットワーク連結を示した図である。
【図２】本発明の一実施例による質問回答サービス方法を示した流れ図である。
【図３】本発明の一実施例によって所定のウェブページ上に提供される質問および前記質問に対する評価結果データの一例を示した図である。
【図４ａ】本発明のさらに他の実施例による質問回答サービス方法を示した流れ図である。
【図４ｂ】本発明のさらに他の実施例による質問回答サービス方法を示した流れ図である。
【図４ｃ】本発明のさらに他の実施例による質問回答サービス方法を示した流れ図である。
【図５】本発明のさらに他の実施例による質問回答サービス方法において、回答が採択された場合にウェブページに提供される質問および回答の一例を示した図である。
【図６】（ａ）は、本発明のさらに他の実施例による質問回答サービス方法において、問題提起が入力された場合にウェブページに提供された回答を示した図であり、（ｂ）は、前記問題提起を入力するためにユーザに提供される入力ウィンドウの一例を示した図である。
【図７】本発明のさらに他の実施例による質問回答サービス方法において、ウェブページ上に提供された前記追加回答の一例を示した図である。
【図８】本発明の一実施例による質問回答サービス方法を示した流れ図である。
【図９ａ】本発明のさらに他の実施例による質問回答サービス方法を示した流れ図である。
【図９ｂ】本発明のさらに他の実施例による質問回答サービス方法を示した流れ図である。
【図１０】本発明のさらに他の実施例によって所定の知識データに対する推薦を入力するためにユーザに提供される入力ウィンドウの一例を示した図である。
【図１１】本発明による質問回答サービス方法を実行することができる質問回答サービスシステムを示したブロック図である。
【図１２】本発明による質問回答サービス方法を実行することができる質問回答サービスシステムなどを構成するのに採用される汎用コンピュータシステムの内部ブロック図である。
【発明を実施するための形態】
【００２５】
以下、添付された図面を参照して、本発明の実施例を詳しく説明する。
【００２６】
図２は、本発明の一実施例による質問回答サービス方法を示した流れ図である。質問回答サービス方法を実行するために、図１で示したような質問回答サービスシステム１００が用いられる。
【００２７】
ステップ２０１で、質問回答サービスシステム１００は、第１ユーザから質問の入力を受け、ステップ２０２で、前記質問を所定のウェブページ上に提供してユーザが閲覧できるようにする。
【００２８】
前記ウェブページ上で前記質問を提供された第２ユーザまたは前記ウェブページの運営者は、前記質問に対する評価データを入力し（ステップ２０３）、質問回答サービスシステム１００は前記評価データを反映して評価結果データを算出する（ステップ２０４）。
【００２９】
本発明のさらに他の実施例によると、前記評価データは前記質問に対して“肯定”または“否定”を選択するデータであり、質問回答サービスシステム１００は、“肯定”という評価データが入力されると前記評価結果データに対応する評価値データを増加させ、“否定”という評価データが入力されると前記評価値データを減少させる方式で評価結果データを算出する。例えば“肯定”という評価データが入力されると評価値データは１増加し、“否定”という評価データが入力されると評価値データは１減少する。評価結果データは前記評価値データに基づいて算出される。
【００３０】
また、本発明のさらに他の実施例によると、ステップ２０４で、質問回答サービスシステム１００は、前記運営者から所定の権限を付与されたユーザまたは前記運営者から入力された評価データには所定の加重値を与えて前記評価結果データを算出する。例えば、前記ユーザまたは前記運営者から“肯定”という評価データが入力されると評価値データを３増加させ、“否定”という評価データが入力されると評価値データを３減少させる。
【００３１】
前記運営者から所定の権限を付与されたユーザは、例えば、質問および回答を複数入力して前記質問および回答に対して他のユーザから良い評価を受けたユーザ、または所定の方法によって所定分野の専門家として認証されたユーザなどである。前記専門家として認証されたユーザが自分の分野に該当する質問に対する評価データを入力する場合には加重値を付与して評価結果データを算出する。このように検証されたユーザまたは運営者の評価は、一般の評価よりもある程度の専門性および信頼性が認定されるため、前記検証されたユーザおよび運営者の評価に所定の加重値を付与することによってさらに正確な評価になる。
【００３２】
ステップ２０５で、質問回答サービスシステム１００は、前記評価結果データを前記ウェブページ上に前記質問と関連させて提供する。前記評価結果データはユーザが見やすいように所定のグラフを用いて表示する。
【００３３】
図３は、前記ウェブページ上に提供される質問および前記質問に対する評価結果データの一例を示した図である。図面符号３０１はゲージ形態のグラフを用いて提供された前記評価結果データを表示する。図３では前記ゲージを１００から＋１００までを基準として相対的に計算した評価結果データを図示している。従って、ユーザは前記グラフで前記“▼”の位置だけで前記質問に対する他のユーザの評価を容易に認識することができる。図３における図面符号（３０２、３０３および３０４）に対する説明は後述する。
【００３４】
また、本発明のさらに他の実施例による質問回答サービスシステム１００は、図２では図示されていないが、前記評価結果データが所定の基準に合致しない場合、前記質問を所定の表示方法によって表示されるようにするステップをさらに実行する。例えば、前記評価結果データが所定の基準に合致しない場合、前記質問は前記ウェブページ上で他の質問に比べて解像度を低くして表示したり、前記質問と関連する所定のアイコンを追加で表示する表示方法などが用いられる。
【００３５】
また、本発明のさらに他の実施例による質問回答サービスシステム１００は、図２では図示されていないが、評価結果データが所定の基準以上である場合には前記第１ユーザと関連するポイントデータを所定値だけ増加させることによって、前記第１ユーザに対して所定の補償を与えることができる。
【００３６】
このような構成によって、本実施例による質問回答サービス方法は、質問を入力するユーザが他のユーザから良い評価を受け、かつ所定のポイントの提供を受けるために優れた質問を入力するように誘導する。
【００３７】
また、本発明のさらに他の実施例によると、質問回答サービスシステム１００は、評価データを入力した前記第２ユーザと関連するポイントデータを所定の値だけ増加させることによって、ユーザが質問に対する評価に積極的に参加するように誘導する。
【００３８】
このように、本発明による質問回答サービス方法は、評価データを入力して積極的に質問回答サービスに参加するユーザには所定のポイントを提供する構成をなしている。しかし、評価データを入力するたびに所定の値だけ評価データを増加させる方法は、ユーザが質問の内容を“確認せずに”、または質問の水準とかかわらずに評価データを入力するための“クリック”をするなど、質問回答サービスに誠実に参加せずに単純に自分のポイントを増加させるための手段として悪用する恐れがある。
【００３９】
従って、本発明のさらに他の実施例による質問回答サービス方法は、運営者から所定の単位期間に対応する限界回数の入力を受けるステップと、前記単位期間内に前記第２ユーザが評価データを入力した入力回数をカウントするステップと、前記入力回数が前記限界回数以下である場合のみ前記評価データの入力に応答して前記第２ユーザと関連するポイントデータを前記所定の値だけ増加させるステップとをさらに含む。
【００４０】
前記単位期間は“１２時間”または“１日”など、運営者によって選択される。このような構成によると、上述したような悪質なユーザのポイントが急激に増加することを防止することができ、またユーザと関連するポイントが急激に増加する現象も防止することができる。
【００４１】
以下、本発明のさらに他の実施例による質問回答サービス方法に対して説明する。図４ａないし図４ｃは、本実施例による質問回答サービス方法を示した流れ図である。
【００４２】
ステップ４０１で、質問回答サービスシステム１００は、第１ユーザから入力された質問を所定のウェブページに提供してユーザが閲覧することができるようにし、ステップ４０３で、前記質問に対して所定の期間内に第２ユーザから回答の入力を受ける。
【００４３】
本発明のさらに他の実施例によると、質問回答サービスシステム１００は、所定の回答期間内にのみ前記第２ユーザから回答の入力を受ける。従って、ステップ４０２で前記回答期間の経過可否を判断し、判断結果、前記回答期間が経過していない場合にのみステップ４０３で前記第２ユーザから回答の入力を受ける。前記回答期間内にのみ前記回答の入力を受けることによって前記第１ユーザが回答の入力を無制限に待つことのないようにし、ステップ４０２での判断結果、前記回答期間が経過した場合にのみ前記回答に対する投票の入力を受けることによって後述するような投票の客観性を保証することができる。
【００４４】
前記回答期間は、前記第１ユーザから入力された任意の期間、または質問回答サービスシステム１００が質問に対して一括して設定した期間である。従って、前記第１ユーザが前記質問に対して入力された回答を用いるために必要な適当な期間を前記回答期間として入力すると、質問回答サービスシステム１００は前記入力された回答期間内のみ前記回答の入力を許容する。
【００４５】
ステップ４０４で、質問回答サービスシステム１００は、図３に示したように前記回答を前記ウェブページ上に前記質問と関連させて提供する。
【００４６】
ステップ４０５で、質問回答サービスシステム１００は、所定の投票期間の経過可否を判断し、前記投票期間が経過していない場合には、ステップ４０６で前記回答に対して第３ユーザから投票の入力を受ける。
【００４７】
前記投票期間は、図３の図面符号３０２で表示したように、前記ウェブページ上に表示され、ユーザは前記ウェブページに表示された投票期間を参照して投票に参加することができる。
【００４８】
本発明のさらに他の実施例によると、質問回答サービスシステム１００は、前記回答が複数である場合のみ、前記第３ユーザから投票の入力を受ける。入力された回答が１つの場合には、回答を採択するための投票に大きな意味を持たないためである。本発明のさらに他の実施例によると、１つの回答が入力された場合にも前記１つの回答に対して“回答を肯定する”または“回答を否定する”に対して第３ユーザから投票を受け、前記投票結果によって質問者または質問回答サービスシステム１００が前記１つの回答に対して“回答で採択”または“回答なし”のうちの１つを選択する基準として用いられる。
【００４９】
本発明のさらに他の実施例による質問回答サービスシステム１００は、図４ａには図示されていないが、前記投票の入力に対応して前記第３ユーザと関連するポイントデータを所定の値だけ増加させるステップをさらに含む。このように、投票に参加したユーザに所定のポイントを提供することによってユーザが投票に積極的に参加するようにする。
【００５０】
また、上述した実施例で説明したように、ユーザが自分のポイントを増加させるための手段として、回答の内容や水準にかかわらず投票を入力する現状、またはユーザと関連するポイントが急激に増加する現状（このような場合、ポイントの価値が減少するようになる）を防止するため、本発明のさらに他の実施例による質問回答サービス方法は、運営者から所定の単位期間に対応する限界回数の入力を受けるステップと、前記単位期間内の前記第３ユーザが投票を入力した入力回数をカウントするステップと、前記入力回数が前記限界回数以下である場合のみ前記投票の入力に応答して前記第３ユーザと関連するポイントデータを前記所定の値だけ増加させるステップとをさらに含む。
【００５１】
一方、単純にポイントを狙って同一の回答に対して反復的に投票をすることを防止するため、本発明のさらに他の実施例による質問回答サービスシステム１００は、投票を入力するユーザ情報を把握し、同一のユーザが同一の回答に再び投票を入力することを許容しないようにしたり、または前記投票を得票数またはポイントに反映しないようにする（後述する）。
【００５２】
上述したように、質問回答サービスシステム１００は、前記回答期間が経過した後にのみ前記第３ユーザから投票の入力を受ける。このように、投票を開始する時点を所定の回答期間が経過した後に設定することによって、時間的に先に入力された助言が後に入力された助言に比べて多い得票数を得てユーザの一般的な意見が投票にそのまま反映されないことを防止する。
【００５３】
また、質問回答サービスシステム１００は、前記投票期間内にのみ前記回答に対する投票の入力を受ける。本発明の一実施例によると、前記投票期間は前記第１ユーザから入力された任意の期間である。また、本発明のさらに他の実施例によると、前記投票期間は前記第１ユーザから入力された投票人数に到逹するまでの期間である。例えば、第１ユーザは投票人数を１００人と入力し、質問回答サービスシステム１００は全体投票人数が１００人になる時に前記回答に対する投票を締め切るように設定する。
【００５４】
ところで、前記回答に対する投票人数を１００人と設定した場合、前記回答に対する投票人数が相当に長い時間が経過しても１００人に到逹しなければ、前記回答に対する投票が完了せずに前記質問およびこれに対する回答が長い間放置されるという問題点が発生する恐れがある。本発明のさらに他の実施例による質問回答サービス方法は、このような問題を解決するため、前記第１ユーザから前記投票期間と前記投票人数の入力を同時に受け、前記投票期間と前記投票人数のうちの１つが充足されれば前記回答に対する投票を終了させる。例えば、第１ユーザが前記投票期間を投票開始時点から１０日、前記投票人数を１００人と設定した場合、質問回答サービスシステム１００は、１０日の投票期間が経過するか、全体投票人数が１００人に到逹すると前記回答に対する投票を終了させる。
【００５５】
また、本発明のさらに他の実施例によると、前記投票期間は、質問回答サービスを管理する運営者が設定した任意の期間、または前記運営者が設定した任意の投票人数に到達するまでの期間のいずれか１つ以上によって決定される。すなわち、質問回答サービスシステム１００は、前記投票期間をユーザが決定することもできるし、運営者が決定することもできる。
【００５６】
ステップ４０７で、質問回答サービスシステム１００は、前記投票の入力に応答して前記回答に対応する得票数を増加させ、ステップ４０８で、図３で図面符号３０３で示したように、前記得票数を前記回答と関連させて前記ウェブページ上に提供する。
【００５７】
本発明のさらに他の実施例による質問回答サービスシステム１００は、ステップ４０７が実行される前に前記第３ユーザと前記第１ユーザとの一致可否を判断するステップと、前記第３ユーザと前記第２ユーザとの一致可否を判断するステップとをさらに実行する。判断結果、前記第３ユーザが前記第１ユーザまたは前記第２ユーザと一致する場合には、質問回答サービスシステム１００は前記投票の入力にもかかわらず前記回答に対する得票数を増加させない。このような構成によって、質問または回答を入力したユーザは投票に参加できないようにすることによって前記回答に対する客観的な評価がなされる。
【００５８】
ステップ４０５での判断結果、前記投票期間が経過した場合、ステップ４１０で、質問回答サービスシステム１００は前記得票数に基づいて１つ以上の回答を採択する。図５は、前記回答が採択された場合、ウェブページに提供される質問および回答の一例を示した図である。投票期間が経過した後は、図５で図面符号５０１で表示されるように、投票の入力はこれ以上許容されない。
【００５９】
実施例によって、質問回答サービスシステム１００は、得票数が最も多い１つの回答を採択したり、得票数が多い順に所定個数の回答を採択したり、または所定の得票数を超える回答はすべて採択したりする。
【００６０】
また、本発明のさらに他の実施例によると、ステップ４０９で、質問回答サービスシステム１００は、入力された回答に対する得票数が所定の得票数以上であるかを判断し、判断結果、前記所定の得票数に到逹する回答がない場合には回答を採択しない。このような構成によって、得票数が最大である回答であっても所定の得票数以上を得ることができなかった回答を採択しないようにすることによって、基準未達の回答が採択されることを防止する。例えば、質問に対する回答が３つ入力され、前記各回答に対応する得票数がそれぞれ３票、２票、および５票の場合、（質問回答サービスを用いる全体ユーザ数によって相対的ではあるが）わずか５票しか獲得できなかった回答が採択されることを防止する。
【００６１】
ステップ４１１で、質問回答サービスシステム１００は、前記所定の得票数以上を得票した回答がない場合、前記質問と関連して採択された回答がないことを表示する。ユーザは各回答に対応する得票数、採択された回答であるという事実、および採択された回答がないという事実などを各回答の内容を判断する基準にする。
【００６２】
ステップ４１２で、質問回答サービスシステム１００は、前記採択された回答を所定の表示方法によって表示する。図５で図面符号５０２で表示したように、単純に採択された回答であることを表示したり、または採択された回答は回答の入力時間にかかわらず回答の中で最も上位に位置させたり、他の回答とは異なる模様、色で表示する表示方法などが用いられる。
【００６３】
質問回答サービスシステム１００は、採択された回答を入力した第２ユーザを回答採択者として決定し、ステップ４１３で、前記回答採択者と関連するポイントデータを所定の値だけ増加させる。採択された回答を入力したユーザにポイントで補償を与えることによって、ユーザが水準のある回答を入力するように奨励する。
【００６４】
本発明のさらに他の実施例によると、ステップ４１３は、ユーザと関連するポイントデータをポイントデータベースに維持するステップと、前記第１ユーザから補償ポイントデータの入力を受けるステップと、前記補償ポイントデータに基づいて前記回答採択者と関連するポイントデータを前記補償ポイントデータだけ増加させるステップと、前記第１ユーザと関連するポイントデータを前記補償ポイントデータだけ減少させるステップとを含む。
【００６５】
前記補償ポイントは前記第１ユーザが保有したポイントのうちの一部であって、前記第１ユーザが採択された回答を入力した回答採択者に支給するポイントである。前記補償ポイントは、質問回答サービスの運営者ではないユーザが他のユーザに支給するという点で一般的なポイントと差がある。
【００６６】
図３の図面符号３０４は、前記補償ポイントデータを示している。すなわち、第１ユーザは補償ポイントとして２０をかけ、回答が採択される場合に回答採択者と関連する補償ポイントデータは２０だけ増加する。また、前記補償ポイントは前記第１ユーザが提供するものであるため、前記回答採択者と関連する補償ポイントデータが２０だけ増加すれば、前記第１ユーザと関連するポイントデータは２０だけ減少するようになる。上述したようなポイントデータは、前記補償ポイントデータベースにユーザと関連されて維持される。
【００６７】
本実施例によると、前記第１ユーザは前記補償ポイントデータの値を自ら決定することができる。従って、重要な質問または早急に回答を得なければならない質問に対しては補償ポイントデータの値を高く入力することによって所期の目的を容易に達成することができる。また、前記第１ユーザは補償ポイントデータの値として０（すなわち、補償ポイントはなし）を入力することもできる。
【００６８】
また、本発明のさらに他の実施例によると、前記補償ポイントデータに基づいて前記回答採択者と関連するポイントデータを前記補償ポイントデータだけ増加させるステップは、前記回答が複数採択される場合、前記第１ユーザが入力した前記補償ポイントを採択された各回答に対応する得票数の比率によってそれぞれ分配するステップと、前記回答採択者と関連するポイントデータを前記分配された補償ポイントデータだけ増加させるステップとを含む。
【００６９】
上述したように、質問回答サービスシステム１００は、１つ以上の回答を採択することができ、回答が複数採択される場合にはそれぞれの回答採択者に前記補償ポイントを提供しなければならないため、前記補償ポイントデータを各回答採択者別に分配する必要がある。この時、回答採択者に前記補償ポイントを均等に分配する方法も用いられるが、前記採択された回答に対応する得票数が相異した場合には前記得票数を反映して補償ポイントを提供するのが好ましい。
【００７０】
従って、質問回答サービスシステム１００は、前記得票数の比率によって前記補償ポイントデータを分配し、分配された補償ポイントデータを前記回答採択者に提供する。例えば、補償ポイントデータが１００、採択された回答が４つ、各回答に対応する得票数が７０、５５、５０および２５の場合、各回答を入力した回答採択者と関連するポイントデータは、それぞれ３５点、２７点、２５点および１２点（下降を採択する）ずつ増加される。この時、前記第１ユーザと関連したポイントデータが１００だけ減少することは上記したとおりである。
【００７１】
一方、質問回答サービスシステム１００は、上述したように、得票数に基づいて回答を採択せず、前記質問を入力した第１ユーザが入力された回答の中から１つを選択するようにすることもできる。この時、投票を介して回答を採択する方法は、前記第１ユーザが自ら回答を採択するのが困難な場合にのみ補助的に（または並行して）用いられる。
【００７２】
この時、質問回答サービス方法１００は、前記第１ユーザから前記回答に対する投票回収命令の入力を受けた場合にのみ前記回答に対する投票の入力を受ける。従って、前記第１ユーザは選択によって自ら、または投票によって回答を採択することができる。
【００７３】
また、本発明のさらに他の実施例によると、質問回答システムは、上述したステップ４０１ないし４１０を実行して採択された回答であっても、前記回答内容にエラーなどが存在する場合はユーザからの問題提起に対応して追加回答ができるようにする。
【００７４】
ステップ４１４で、質問回答サービスシステム１００は、前記採択された回答に対して第４ユーザから問題提起の入力を受け、ステップ４１５で、前記問題提起を前記採択された回答を入力した第２ユーザに提供する。
【００７５】
ステップ４１６で、前記問題提起を提供されたユーザは、前記問題提起に対する追加回答を入力する。質問回答サービスシステム１００は、前記追加回答を前記採択された回答と関連させて前記ウェブページ上に提供する。
【００７６】
また、質問回答サービスシステム１００は、ユーザに前記問題提起による追加回答を提供する一方、前記質問を入力した前記第１ユーザに電子メールまたはＳＭＳを用いて追加回答が提供された事実を通知し、前記第１ユーザが修正、補完された回答を提供されるようにする。
【００７７】
図６の（ａ）は、問題提起が入力された場合、ウェブページに提供された回答を示した図であり、図６の（ｂ）は、前記問題提起を入力するために前記第４ユーザに提供される入力ウィンドウの一例を示した図である。
【００７８】
図６の（ａ）の図面符号６０１は、前記ウェブページ上に提供された回答が採択された回答であることを表示し、図面符号６０２は、前記採択された回答に対する問題提起が入力された事実を表示している。このように、採択された回答であっても問題提起がなされた回答であるという表示をすることによって、前記回答を提供されるユーザが前記回答に対する信頼性などの判断をする時にこのような事実を考慮するようにする。
【００７９】
一方、図６の（ａ）には問題提起が入力された事実のみを表示しているが、質問回答サービスシステム１００は“ポップアップ（ｐｏｐ−ｕｐ）”ウィンドウを用い、図面符号６０２を“クリック”するとポップアップウィンドウで前記問題提起の内容を提供することもできる。すなわち、前記問題提起は前記採択された回答と関連されて提供される。
【００８０】
図６の（ｂ）で図面符号６０３で表示するように、第４ユーザは前記問題提起の内容だけでなく、前記問題提起をする理由が属するカテゴリをさらに入力することができる。前記カテゴリは図示したように、“回答エラー”や“回答内容追加の必要”、“タイプミス”などである。前記問題提起はウェブページに前記問題提起の内容を表示したり、電子メール、移動通信端末機などを介して前記第２ユーザに伝達する方式によって前記第２ユーザに提供される。
【００８１】
図７は、前記ウェブページ上に提供された前記追加回答の一例を示した図である。図示したように、前記追加回答は“採択された回答”の内容を修正せず、前記採択された回答は維持したままで追加回答を添付（ａｔｔａｃｈ）する方式が用いられる。このような添付方式を用いると、第２および第４ユーザ以外の他のユーザも前記問題提起によって変更された部分を確認することができ、前記回答と関連する履歴を確認することができる。
【００８２】
また、本発明のさらに他の実施例によると、質問回答サービスシステム１００は、前記第２ユーザから前記追加回答の入力を受けた回数をカウントし（ステップ４１９）、前記回数が所定回数を超過する場合はこれ以上の追加回答の入力を拒絶する（ステップ４２０）。
【００８３】
前記第２ユーザは、前記採択された回答に対する問題提起に対して、追加回答をしたものの前記追加回答が充分でない場合は、再び追加回答をしようとする場合がある。また、前記採択された回答に対する問題提起が複数に渡ってなされる場合は、前記第２ユーザは各問題提起に対して一度の追加回答をしたり、前記複数に渡って問題提起が時間的な間隔を置いて入力された場合には、前記追加回答をそれぞれ複数回入力しなければならない場合もある。
【００８４】
しかし、回答入力および回答の採択が完了した質問に対して追加回答の多入力を多数受けて前記ウェブページに提供することは、“採択された回答”以外に前記採択された回答に追加された追加回答も閲覧しなければならないなど、ユーザの質問回答サービスの使用を不便にする。
【００８５】
従って、上述したように、追加回答の入力回数をカウントして追加回答の入力回数を制限する必要性がある。このような構成は、追加回答の入力回数を所定の回数以内に制限することによって、ユーザが初めから完成度の高い回答を入力するように誘導することができるという長所もある。
【００８６】
一方、前記問題提起を提供された前記第２ユーザが前記問題提起に同意しない場合がある。この時、質問回答サービスシステム１００は、前記第２ユーザから前記問題提起に対して同意しない理由である拒絶理由の入力を受けるステップと、前記拒絶理由を前記第４ユーザに提供するステップとをさらに実行する。
【００８７】
また、前記問題提起を提供された前記第２ユーザが前記問題提起に対して無回答である場合、前記第４ユーザは回答を受けることができないため不便さを受け、その他のユーザも前記問題提起に対する結果を知ることができずに、前記採択された回答を信頼することができなくなるという問題が発生することがある。
【００８８】
従って、本発明のさらに他の実施例による質問回答サービスシステム１００は、前記問題提起に対する追加回答または拒絶理由を入力したユーザと関連するポイントデータを所定値だけ増加させ、前記問題提起に対して一定期間以上無回答であるユーザと関連するポイントデータを所定値だけ減少させることによって、前記問題提起に対して前記第２ユーザが誠実に回答するように誘導する。
【００８９】
また、質問回答サービスシステム１００は、前記問題提起に対する追加回答または拒絶理由を入力したユーザと関連するポイントデータのみを所定値だけ増加させるようにすることもできる。前記第２ユーザが前記ウェブページに前記一定期間内に接続しなかったり、受信された電子メールを確認しなかったりする場合には、前記第２ユーザの知らない間に前記第２ユーザと関連する所定のポイントデータが減少する危険があるためである。
【００９０】
以下、本発明のさらに他の実施例による質問回答サービス方法に対して説明する。図８は、本実施例による質問回答サービス方法を示した流れ図である。
【００９１】
ステップ８０１で、質問回答サービスシステム１００は、第１ユーザから入力された質問を所定のウェブページに提供し、ステップ８０２で、所定の回答期間の経過可否を判断する。判断結果、回答期間内である場合、ステップ８０３で、質問回答サービスシステム１００は、第２ユーザから前記質問に対する回答の入力を受け、ステップ８０４で、前記回答を前記ウェブページに前記質問と関連させて提供する。前記回答期間に対しては上述した実施例で詳しく説明したため、本実施例ではその説明を省略する。
【００９２】
ステップ８０２での判断結果、前記回答期間が経過した場合、質問回答サービスシステム１００は、前記第１ユーザから前記回答を採択するための入力および前記採択された回答に対する評価データの入力を受ける（ステップ８０５および８０６）。
【００９３】
前記評価データは所定個数の評価等級のうちの１つである。すなわち、質問回答サービスシステム１００は、複数の評価等級を前記第１ユーザに提示し、前記第１ユーザは前記複数の評価等級のうちの１つを前記評価データとして入力する。前記評価等級は、上述したように、“肯定”または“否定”のように２つのみであったり、３つ以上の等級に区分されたりする。このような評価等級は、例えば“☆”、“☆☆”、…、“☆☆☆☆☆”のようなアイコンを用いた等級であったりする。
【００９４】
ステップ８０７で、質問回答サービスシステム１００は、前記評価等級に基づいて前記採択された回答を入力した第２ユーザと関連するポイントデータを増加させる。この時、質問回答サービスシステム１００は、所定のデータベースに前記評価等級に対応するポイントデータ値を維持し、前記第２ユーザと関連するポイントデータを前記評価等級に対応するポイントデータ値だけ増加させる方法を用いる。
【００９５】
例えば、評価データで“☆”ごとにそれぞれ１点に対応するポイントデータ値を維持する場合、質問回答サービスシステム１００は、前記第１ユーザから“☆”が入力された場合には前記第２ユーザと関連したポイントデータを１点、評価データとして“☆☆☆☆☆”が入力された場合には５点を増加させる。
【００９６】
このような構成によると、採択された回答であっても、所定の等級を付与して水準が高い回答であるほど回答を入力したユーザにより多い補償を与えるようになるため、ユーザが水準の高い回答を入力するように誘導することができる。
【００９７】
また、本発明のさらに他の実施例による質問回答サービスシステム１００は、上述した投票によって回答を採択する質問回答サービス方法と同様に、前記第１ユーザが入力された回答の中で複数の回答を採択するようにする。この時、本実施例による質問回答サービス方法は、前記第１ユーザから所定の補償ポイントデータおよび採択された複数の回答それぞれに対する評価データの入力を受けるステップと、各回答に対応する評価データの比率によって前記補償ポイントデータをそれぞれ分配するステップと、前記採択された回答を入力した各第２ユーザと関連するポイントデータを前記分配された補償ポイントデータだけ増加させるステップとをさらに含む。前記各第２ユーザのポイントデータが増加すると、前記第１ユーザと関連するポイントデータが前記補償ポイントだけ減少する。
【００９８】
従って、質問を入力した第１ユーザが複数の回答を採択する場合、採択された回答を入力した各ユーザに前記第１ユーザのポイントデータを分配して提供する。
【００９９】
一方、本実施例による質問回答サービスシステム１００においても、採択された回答に対する問題提起の入力を受けて追加回答を提供するための上述したステップがさらに実行されることがある。
【０１００】
以下、本発明のさらに他の実施例による質問回答サービス方法に対して説明する。図９は、本実施例による質問回答サービス方法を示した流れ図である。ステップ９０１で、質問回答サービスシステム１００は、第１ユーザから入力された質問を所定のウェブページに提供し、ステップ９０２で、前記質問に対して所定の期間内に第２ユーザから回答の入力を受け、ステップ９０３で、前記回答を前記ウェブページに前記質問と関連させて提供する。
【０１０１】
ステップ９０４で、質問回答サービスシステム１００は、前記質問および前記質問と関連する回答を知識データとして決定する。本発明のさらに他の実施例によると、ステップ９０４は、前記回答の入力および回答の採択が完了した場合になされる。従って、これ以上の質問および回答に変動がない状態で知識データとして決定される。
【０１０２】
ステップ９０５で、質問回答サービスシステム１００は、第３ユーザから前記知識データに対する推薦の入力を受ける。本発明のさらに他の実施例によると、質問回答サービスシステム１００は、前記第３ユーザは前記質問を入力した第１ユーザおよび前記回答を入力した第２ユーザとの一致可否を判断し、一致しない場合には推薦の入力を受けることによって、前記推薦の客観性を担保することができる。第３ユーザは図５に示したような“推薦します！”ボタンをクリックすることによって、知識データに対する推薦を入力することができる。
【０１０３】
ステップ９０６で、質問回答サービスシステム１００は、前記推薦を前記知識データと関連させて前記ウェブページ上に提供する。本発明のさらに他の実施例によると、前記推薦が入力された知識データは他の知識データと区別されるように所定の表示方法によって表示される。前記推薦が入力された知識データは、文字や背景の色、文字の大きさなどが異なるように表示されたり、所定のアイコンがさらに付加的に表示されるなどの表示方法によって表示される。従って、ユーザは推薦が入力された知識データを容易に認知することができるため閲覧がしやすい。
【０１０４】
また、本発明のさらに他の実施例によれば、ステップ９０５は、前記第３ユーザから前記知識データと関連するカテゴリの入力を受けるステップを含み、ステップ９０６は、前記カテゴリを前記知識データと関連させて表示するようにするステップを含む。従って、前記カテゴリと関連する知識の提供を受けようとするユーザは、前記ウェブページに表示されたカテゴリを用いて手軽に前記カテゴリと関連する推薦の知識データを閲覧することができる。
【０１０５】
図１０は、前記推薦を入力するためにユーザに提供される入力ウィンドウの一例を示した図である。図面符号１００１で表示したように、ユーザは質問回答サービスシステム１００から提供されたカテゴリ（図１０のように“有益な知識”、“おもしろい知識”および“でたらめな知識”というカテゴリが用いられることがある）中の１つを選択して推薦を入力する。実施例によって、前記第４ユーザが直接カテゴリを入力することもできる。
【０１０６】
ステップ９０７で、質問回答サービスシステム１００は、知識データベースに前記知識データおよび前記知識データと関連する推薦情報を維持する。前記推薦情報は、前記知識データに対する推薦の入力可否に対する情報である。
【０１０７】
ステップ９０８で、質問回答サービスシステム１００は、第４ユーザから前記知識データに対する検索要求を受信すると、ステップ９０９で、前記検索要求に回答して前記知識データベースの中から前記知識データを検索する。この時、検索結果、複数の知識データが検索された場合、ステップ９１０で、前記推薦情報に基づいて前記検索された知識データが推薦された知識データであるかを判断し、推薦された知識データに対しては所定の加重値を付与して前記知識データの配列手順を決定する（ステップ９１１および９１２）。従って、検索キーワードに対する知識データの一致度の他に、前記推薦可否などが前記配列順序を決定するさらに他の要素となる。
【０１０８】
このような構成によって、ユーザは検索結果の中から推薦された知識データを閲覧することが便利で、質問回答サービスを提供するサービス社側としても推薦された良質の知識データを優先的に提供することができるため質問回答サービスが改善される。
【０１０９】
また、本発明は上述した各実施例による質問回答サービス方法を実行させるためのプログラムを記録したコンピュータ読み取り可能な記録媒体を提供する。
【０１１０】
一方、上述した各実施例において記述したポイントは、実際のお金であったり、またはサイバー上でのみ交換可能なサイバーマネー、マイレージ（ｍｉｌｅａｇｅ）であったりする。また、前記ポイントは、質問回答サービスに積極参加して優れた質問または回答を提供したという事実を知らせることでユーザの名誉を高める手段として、交換価値がない象徴的なものであったりもする。
【０１１１】
以下、本発明の各実施例による質問回答サービス方法を実行することができる質問回答サービスシステムに対して説明する。図１１は、前記質問回答サービスシステム１１００を示したブロック図である。
【０１１２】
ユーザ入力部１１０１は、ユーザから質問、前記質問に対する回答、前記質問または前記回答に対する評価データ、回答期間、投票期間、補償ポイントデータ、問題提起および前記問題提起に対する追加回答または拒絶理由などの入力を受ける。
【０１１３】
評価データ算出部１１０２は、前記質問に対する評価データに基づいて前記質問に対する評価結果データを算出する。
【０１１４】
得票数管理部１１０３は、ユーザ入力部１１０１から入力された投票に応答して前記回答に対応する得票数を増加させ、投票データベース１１０４は、前記回答、前記回答に対応する得票数および前記回答を提供したユーザに関する情報を格納する。
【０１１５】
回答採択部１１０５は、質問を入力したユーザからの回答を採択するための入力を受けて前記回答を採択したり、または前記投票によって最も多い得票数を得た回答を採択する。
【０１１６】
ポイント管理部１１０７は、回答が採択された場合、投票を入力した場合などに前記回答または前記投票を入力したユーザと関連するポイントデータを増加させ、質問を入力したユーザが補償ポイントデータを入力して前記質問に対する回答が採択された場合に前記質問を入力したユーザと関連するポイントデータを前記補償ポイントデータだけ減少させるなど、ユーザと関連したポイントデータを管理する。ポイントデータベース１１０８は、ユーザと関連するポイントデータを維持する。
【０１１７】
検索部１１０９は、ユーザからの検索要求に応答して知識データベース１１１０に格納されている知識データを検索する。
【０１１８】
出力部１１０６は、前記質問、前記質問に対する回答、前記質問に対する評価結果データ、前記回答に対応する得票数、検索結果などを前記ウェブページ上に提供してユーザが閲覧することができるようにする。
【０１１９】
一方、図１２は、本発明による質問回答サービス方法を実行することができる質問回答サービスシステムなどを構成するのに採用される汎用コンピュータシステムの内部ブロック図である。
【０１２０】
コンピュータシステム１２００は、ラム（ＲＡＭ：Ｒａｎｄｏｍ Ａｃｃｅｓｓ Ｍｅｍｏｒｙ）１２０２とロム（ＲＯＭ：Ｒｅａｄ Ｏｎｌｙ Ｍｅｍｏｒｙ）１２０３を含む主記憶装置と連結する１つ以上のプロセッサ１２０１を含む。プロセッサ１２０１は中央処理装置（ＣＰＵ）とも言われる。本技術分野で広く知られているように、ロム１２０３はデータ（ｄａｔａ）と命令（ｉｎｓｔｒｕｃｔｉｏｎ）を単方向性でＣＰＵに伝達する役割をし、ラム１２０２は通常、データと命令を両方向性で伝達するのに用いられる。ラム１２０２およびロム１２０３は、コンピュータ読み取り可能媒体のいかなる適切な形態をも含む。大容量記憶装置（ＭａｓｓＳｔｏｒａｇｅ）１２０４は、両方向性でプロセッサ１２０１と連結されて追加的なデータ格納能力を提供し、前記したコンピュータ読み取り可能記録媒体の中のいかなるものにも該当する。大容量記憶装置１２０４は、プログラム、データなどを格納するのに用いられ、通常、主記憶装置より速度が遅いハードディスクのような補助記憶装置である。ＣＤロム１２０６のような特定大容量記憶装置が用いられることもある。プロセッサ１２０１は、ビデオモニタ、トラックボール、マウス、キーボード、マイクロフォン、タッチスクリーン型ディスプレイ、カード読取り機、磁気または紙テープ読み取り機、音声または手書き文字認識機、ジョイスティック、またはその他の公知されたコンピュータ入出力装置のような１つ以上の入出力インターフェイス１２０５と連結される。最後に、プロセッサ１２０１は、ネットワークインターフェイス１２０７を介して有線または無線通信ネットワークに連結される。このようなネットワーク連結を介して前記した方法の手順を実行することができる。前記した装置および道具は、コンピュータハードウェアおよびソフトウェア技術分野の当業者に広く知られている。
【０１２１】
前記したハードウェア装置は、本発明の動作を実行するために１つ以上のソフトウェアモジュールとして作動するように構成されることがある。
【０１２２】
以上のように、本発明は限定された実施例と図面によって説明されたが、本発明は前記の実施例に限定されるものでなく、本発明が属する分野において通常の知識を有する者にとっては、このような記載から多様な修正および変形が可能であろう。従って、本発明思想は、添付の特許請求の範囲によってのみ把握されなければならず、この均等または等価的変形すべては本発明思想の範囲に属することは言うまでもない。
【図１】
2010073217.tif 000003
【図２】
2010073217.tif 000004
【図３】
2010073217.tif 000005
【図４ａ】
2010073217.tif 000006
【図４ｂ】
2010073217.tif 000007
【図４ｃ】
2010073217.tif 000008
【図５】
2010073217.tif 000009
【図６】
2010073217.tif 000010
【図７】
2010073217.tif 000011
【図８】
2010073217.tif 000012
【図９ａ】
2010073217.tif 000013
【図９ｂ】
2010073217.tif 000014
【図１０】
2010073217.tif 000015
【図１１】
2010073217.tif 000016
【図１２】
2010073217.tif 000017